(57)【要約】【課題】刈取部のプラットフォームに堆積した土を容易に除去できるように構成することでメンテナンス性を向上させたコンバインを提供することである。【解決手段】コンバイン１は、プラットフォーム２５と、プラットフォーム２５の前端部に取り付けられた刈刃２２と、刈刃２２の後方に設けられたプラットフォームオーガ２３とを有する刈取部２０を備えたコンバインにおいて、プラットフォームは、刈刃２２とプラットフォームオーガ２３との間の底部２５１に形成された開口部２５２と、開口部２５２を開閉可能に覆う蓋材２５３とを備えた構成とする。【選択図】図６
2017104048.tif 000002
【特許請求の範囲】
【請求項１】
プラットフォームと、該プラットフォームの底板の前端部に取り付けられた刈刃と、該刈刃の後方に設けられたプラットフォームオーガとを有する刈取部を備えたコンバインにおいて、
前記プラットフォームは、前記刈刃と前記プラットフォームオーガとの間の前記底板に形成された開口部と、該開口部を開閉可能に覆う蓋材とを備えたことを特徴とするコンバイン。
【請求項２】
前記開口部は前記底板の全幅に亘って形成されることを特徴とする請求項１に記載のコンバイン。
【請求項３】
前記蓋材は可撓性を有することを特徴とする請求項１又は請求項２に記載のコンバイン。
【請求項４】
前記蓋材の前端部は前記底板の下面に取り付けられ、前記蓋材の後端部は前記底板の上面に持ち上げ可能に載置されることを特徴とする請求項１から請求項３の何れか一項に記載のコンバイン。
【発明の詳細な説明】
【技術分野】
【０００１】
本発明はコンバインに関し、特に刈取部の構造に関する。
【背景技術】
【０００２】
従来から大豆等の収穫にコンバインが用いられている。このコンバインの刈取部は、刈刃で切断された穀稈がそのまま連続的にプラットフォームオーガに送り込まれる構造となっているため、刈刃で削り取られた土が穀稈と一緒に取り込まれ、プラットフォームに堆積し、大豆を汚す原因となっていた。
【０００３】
そこで、プラットフォームに土を堆積させないことを目的としたコンバインが提案されている。例えば、プラットフォームの底板に対して下方へ段差部を介して刈刃を接合し、段差部に土の排出空間を形成したコンバインが提案されている（特許文献１参照）。また、プラットフォームに大豆の粒径より小径の網目の土抜網を揺動可能に設けたコンバインも提案されている（特許文献２参照）。
【先行技術文献】
【特許文献】
【０００４】
【特許文献１】実用新案登録第３１９０５２８号公報
【特許文献２】特開昭６１−１３２１１５号公報
【発明の概要】
【発明が解決しようとする課題】
【０００５】
しかしながら、プラットフォームに土を堆積させないような構成を採用しても、土を完全には排出できない。そのため、プラットフォームに堆積した土を掃き出す作業が必要となるが、作業性が悪いという問題がある。すなわち、プラットフォームの前方へ土を掃き出すには刈刃に気を付けなければならず、掃き出す距離も長いので作業性が良いとはいえない。
【０００６】
本発明は、刈取部のプラットフォームに堆積した土を容易に除去できるように構成することでメンテナンス性を向上させたコンバインを提供することを目的とする。
【課題を解決するための手段】
【０００７】
プラットフォームと、該プラットフォームの底板の前端部に取り付けられた刈刃と、該刈刃の後方に設けられたプラットフォームオーガとを有する刈取部を備えたコンバインにおいて、前記プラットフォームは、前記刈刃と前記プラットフォームオーガとの間の前記底板に形成された開口部と、該開口部を開閉可能に覆う蓋材とを備えた構成とする。
【０００８】
また上記のコンバインにおいて、前記開口部は前記底板の全幅に亘って形成されるようにしてもよい。
【０００９】
また上記のコンバインにおいて、前記蓋材は可撓性を有することが望ましい。
【００１０】
また上記のコンバインにおいて、前記蓋材の前端部は前記底板の下面に取り付けられ、前記蓋材の後端部は前記底板の上面に持ち上げ可能に載置される構成としてもよい。
【発明の効果】
【００１１】
上記のコンバインによれば、刈刃とプラットフォームオーガとの間のプラットフォームの底板に開口部を形成し、開口部を蓋材で開閉可能に覆うことにより、収穫作業中は、蓋材が開口部を覆っているので、刈り取った穀稈が開口部から機外へ排出されることがない。一方、収穫作業が終了して清掃する場合には、作業者は蓋材を持ち上げることによって開口部を開放し、底板上に堆積した土等を開口部から機外へ掃き出すことができる。よって、刈刃を越えてプラットフォームの前方に土を掃き出す場合よりも、早く容易に掃き出すことができるので作業性が良く、メンテナンス性が向上する。
【００１２】
また上記のコンバインによれば、開口部が底板の全幅に亘って形成されることにより、底板上に堆積した土等を開口部から機外へ掃き出しやすくなる。
【００１３】
また上記のコンバインによれば、可撓性を有する蓋材を用いることにより、少ない部材で安価に製造することができる。
【００１４】
また上記のコンバインによれば、蓋材の前端部を底板の下面に取り付け、蓋材の後端部を底板の上面に持ち上げ可能に載置することにより、蓋材を持ち上げることによって容易に開口部を開閉することができる。
【図面の簡単な説明】
【００１５】
【図１】コンバインの左側面図である。
【図２】コンバインの上面図である。
【図３】脱穀部及び選別部を示す図である。
【図４】プラットフォームの上面側斜視図である。
【図５】プラットフォームの下面側斜視図である。
【図６】プラットフォームの部分断面図である。
【図７】プラットフォームの蓋材を持ち上げた状態の部分断面図である。
【発明を実施するための形態】
【００１６】
以下では普通型コンバインを例に説明する。図１はコンバインの左側面図、図２はコンバインの上面図、図３は脱穀部及び選別部を示す図である。図中には、コンバインの前後方向、左右方向及び上下方向を示している。
【００１７】
コンバイン１は、走行部１０と、刈取部２０と、脱穀部３０と、選別部４０と、穀粒貯溜部５０と、排藁処理部６０と、操縦部７０と、エンジン８０とを備える。
【００１８】
走行部１０は、機体２の下部に設けられる。走行部１０は、左右一対のクローラを有するクローラ式走行装置を有しており、このクローラ式走行装置１１により機体２を前進又は後進方向に走行させることができるように構成される。
【００１９】
刈取部２０は、機体２の前方に設けられ、機体２に対して昇降可能に支持される。刈取部２０は、リール２１と、刈刃２２と、プラットフォームオーガ（ＰＦオーガ）２３と、フィーダハウスコンベア（ＦＨコンベア）２４とを有する。リール２１、刈刃２２、及びＰＦオーガ２３はプラットフォーム２５により支持される。プラットフォーム２５と機体２の間にはフィーダハウス２６が設けられ、フィーダハウス２６内にＦＨコンベア２４が設けられる。
【００２０】
刈取部２０は、リール２１により圃場の穀稈を掻き込み、刈刃２２により掻込後の穀稈の株元を切断し、刈り取った穀稈をＰＦオーガ２３により寄せ集めてからＦＨコンベア２４へ受け渡して、ＦＨコンベア２４により脱穀部３０へ搬送する。
【００２１】
脱穀部３０は、機体２の左側上部であって、刈取部２０の後方に配置される。図３に示すように、脱穀部３０は、扱胴３１と、コンケーブ３２とを有している。脱穀部３０は、扱胴３１及びコンケーブ３２により刈取部２０から搬送されてくる穀稈を後方へ送りながら脱穀し、その脱穀物を選別部４０へ漏下させる。
【００２２】
選別部４０は、機体２の左側下部であって、脱穀部３０の下方に配置される。図３に示すように、選別部４０は、揺動選別装置４１と、風選別装置４２と、穀粒搬送装置４３と、二番還元装置４４とを有する。選別部４０は、揺動選別装置４１により脱穀部３０から落下する脱穀物を穀粒や藁屑などに揺動選別し、風選別装置４２により揺動選別後のものを更に穀粒と藁屑などとに風選別し、穀粒搬送装置４３により選別後の穀粒を穀粒貯溜部５０側へ搬送する。
【００２３】
揺動選別装置４１は、第一チャフシーブ４１ａと、第二チャフシーブ４１ｂと、篩分部材４１ｃとを有する。揺動選別装置４１は、扱胴３１の下方に配置される。揺動選別装置４１には揺動機構４１ｄが設けられる。揺動機構４１ｄは、第一チャフシーブ４１ａ、第二チャフシーブ４１ｂ及び篩分部材４１ｃを機体２に対して揺動させる。
【００２４】
第一チャフシーブ４１ａ及び第二チャフシーブ４１ｂは、左右方向に等間隔ごとに横架された複数のチャフフィンを有している。各チャフフィンは、その角度を変更可能に構成され、それぞれが若干前低後高に傾斜した状態で前後に並置される。篩分部材４１ｃは、櫛状部材で構成され、第一チャフシーブ４１ａの後端部に歯部を後方へ向けて設けられ、第二チャフシーブ４１ｂの前部の上方に位置するように配置される。
【００２５】
揺動選別装置４１は、第一チャフシーブ４１ａ、第二チャフシーブ４１ｂ、及び篩分部材４１ｃを揺動させることによって、脱穀部３０から落下する脱穀物から穀粒を粗選別し、その粗選別後のものを風選別装置４２へ漏下させることができるようになっている。このときの漏下量は、第一チャフシーブ４１ａ及び第二チャフシーブ４１ｂでそれぞれ複数のチャフフィンの角度が変更されることにより調節される。
【００２６】
風選別装置４２は、唐箕４２ａと、一番コンベア４２ｂと、二番コンベア４２ｃとを有する。唐箕４２ａは、回転可能に支持され、機体２の左側の前端寄りに配置される。一番コンベア４２ｂ及び二番コンベア４２ｃは、それぞれ唐箕４２ａの後方に配置され、互いに前後に並置される。
【００２７】
風選別装置４２は、唐箕４２ａを回転駆動させることによって、選別風を起して後方へ送り、当該選別風を揺動選別装置４１から落下する穀粒や藁屑に当てて、これらを比重選別する。そして、これらのうちの、比重の重いものが選別風の影響を受けずに一番コンベア４２ｂへ落下するのに対して、比重の軽いものが選別風により後方へ運ばれて、二番コンベア４２ｃへ落下し、更に軽い塵埃等が後方へ排出される。
【００２８】
風選別装置４２は、また、一番コンベア４２ｂを駆動させることによって、この一番コンベア４２ｂに落下してきたものを、一番物として右側へ送って穀粒搬送装置４３へ渡す。穀粒搬送装置４３は、この一番物を穀粒貯溜部５０側へ搬送する。
【００２９】
また、風選別装置４２は、二番コンベア４２ｃを駆動させることによって、この二番コンベア４２ｃに落下してきたものを二番物として右側へ送って二番還元装置４４の二番搬送装置４４ａへ渡す。
【００３０】
二番還元装置４４は、二番搬送装置４４ａと、二番処理装置４４ｂとを備える。二番搬送装置４４ａは、揺動選別装置４１及び風選別装置４２の右側方で前後方向に延設され、前高後低に傾斜した状態で配置される。二番処理装置４４ｂは、揺動選別装置４１の前端部の上方に位置するように配置され、二番搬送装置４４ａと接続される。
【００３１】
二番還元装置４４は、二番搬送装置４４ａで受けた二番物を二番処理装置４４ｂへ送り、二番処理装置４４ｂで二番物に対して、枝を除去するなどの処理を行ったあと、揺動選別装置４１に落下させて戻すことができるようになっている。こうして、揺動選別装置４１及び風選別装置４２を経た二番物が繰り返し選別される。
【００３２】
図１及び図２に示すように、穀粒貯溜部５０は、機体２の右側の前後中央部であって、脱穀部３０及び選別部４０の右方に配置される。穀粒貯溜部５０は、穀粒タンク５１と、穀粒排出装置５２とを有する。穀粒貯溜部５０は、選別部４０から搬送されてくる穀粒を穀粒タンク５１で貯溜し、穀粒排出装置５２により貯溜中の穀粒を任意の方向に搬送してから外部へ排出する。
【００３３】
排藁処理部６０は、機体２の左側後上方であって、脱穀部３０及び選別部４０の後方に配置される。排藁処理部６０は、脱穀部３０からの脱穀済みの穀稈を排藁として外部へ排出するとともに、選別部４０からの藁屑や塵埃などを外部へ排出する。
【００３４】
操縦部７０は、機体２の右側前端から前方に突出し、穀粒貯溜部５０の前方に配置される。操縦部７０には、ステアリングハンドル７１及び変速レバー（図示せず）を含む各種の操作具、操縦席及びキャビン７２が設けられる。
【００３５】
エンジン８０は、図２に示すように、機体２の右側前端であって、操縦部７０の下方に配置される。
【００３６】
次に、プラットフォーム２５の特徴的な構造について説明する。図４はプラットフォーム２５の上面側斜視図、図５はプラットフォーム２５の下面側斜視図、図６はプラットフォーム２５の部分断面図、図７はプラットフォーム２５の蓋材を持ち上げた状態の部分断面図である。なお、図を見やすくするため、図５において、そりは省略している。
【００３７】
プラットフォーム２５は、フィーダハウス２６の前端下部から前下方へ延び、さらに水平に前方へ延びる板状の底板２５１を有する。底板２５１の前端部には全幅に亘って刈刃２２が取り付けられる。刈刃２２の後上方にはＰＦオーガ２３、刈刃２２の前上方にはリール２１がそれぞれ設けられる。このような構造においては、収穫作業中に刈刃２２で削り取られた土が穀稈と一緒に取り込まれ、ＰＦオーガ２３の下方辺りに堆積する。
【００３８】
底板２５１の刈刃２２とＰＦオーガ２３との間の部分には開口部２５２が形成される。本実施形態における開口部２５２は、底板２５１の全幅に亘って形成された矩形の貫通孔である。開口部２５２が底板２５１の全幅に亘って形成されることにより、底板２５１上に堆積した土等を開口部２５２から機外へ掃き出しやすくなる。
【００３９】
開口部２５２の前後長は底板２５１上に堆積した土を排出できる長さであればよく、数センチメートル程度とすることができる。開口部２５２の位置は、刈刃２２とＰＦオーガ２３との間であれば特に限定はないが、底板２５２の下面にはそり２５６が取り付けられるので、そり２５６の可動部を避けて配置することが好ましい。なお、開口部２５２の幅及び長さには特に限定はなく、必ずしも底板２５１の全幅に亘って形成される必要はない。また、開口部２５２の形状には特に限定はなく、円形や楕円形であってもよい。
【００４０】
開口部２５２は、蓋材２５３によって開閉可能に覆われる。蓋材２５３としてはエラストマー等の可撓性を有する材料を用いることができ、例えばゴム板を用いることができる。可撓性材料を用いることで少ない部材で安価に製造することができる。
【００４１】
また、蓋材２５３の前端部を底板２５３に取り付け、蓋材２５３の後端部を固定しないことによって持ち上げ可能とすることにより、開口部２５２を容易に開閉可能に覆うことができる。蓋材２５２を設けることにより、収穫作業中に刈り取った穀稈が開口部２５２から排出されることを防止できる。
【００４２】
本実施形態においては、蓋材２５３の前端部は底板２５１の下面に取り付けられ、蓋材２５３の後端部は底板２５１の上面に持ち上げ可能に載置されている。蓋材２５３の前端部の下面は２本の支持部材２５４で押さえられ、複数のボルト２５５によって支持部材２５４と蓋材２５３と底板２５１とが締結されている。一方、蓋材２５３の全幅は開口部２５２の全幅と同じ長さであり、蓋材２５３の左右端部は開口部２５２の左右端部に嵌められる。蓋材２５３の前後長は開口部２５２の前後長より長く、蓋材２５３の後端部は開口部２５２の後端部から底板２５２の上面に乗り上げた状態で載置されており、固定はされていない。
【００４３】
このようなプラットフォーム２５の構成によれば、収穫作業中は、図６に示したように、蓋材２５３が開口部２５１を覆っているので、刈り取った穀稈が開口部２５２から機外へ排出されることがない。一方、収穫作業が終了して清掃する場合には、図７に示したように、作業者は蓋材２５３の後端部を持ち上げることによって開口部２５２を開放し、底板２５１上に堆積した土等を開口部２５２から機外へ掃き出すことができる。
【００４４】
このように、刈刃２２とＰＦオーガ２３との間の底板２５３に開口部２５３を形成することにより、従来のように刈刃２２を越えてプラットフォーム２５の前方に土を掃き出す場合よりも、早く容易に掃き出すことができるので作業性が良く、メンテナンス性が向上する。
【符号の説明】
【００４５】
１          コンバイン
２０        刈取部
２２        刈刃
２３        プラットフォームオーガ
２５        プラットフォーム
２５１      底板
２５２      開口部
２５３      蓋材
【図１】
2017104048.tif 000003
【図２】
2017104048.tif 000004
【図３】
2017104048.tif 000005
【図４】
2017104048.tif 000006
【図５】
2017104048.tif 000007
【図６】
2017104048.tif 000008
【図７】
2017104048.tif 000009